【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
サーバ装置が、１以上のＷｅｂページの各々に関し、当該Ｗｅｂページの表示を指示するデータであるＷｅｂページデータであって、当該Ｗｅｂページに含まれる画像を示す画像データを各々識別する１以上の画像識別データを含むＷｅｂページデータを記憶するＷｅｂページデータ記憶ステップと、
前記サーバ装置が、前記Ｗｅｂページデータ記憶ステップにおいて記憶されるＷｅｂページデータに含まれる画像識別データにより識別される画像データを記憶する画像データ記憶ステップと、
前記サーバ装置が、１以上の端末装置の機種の各々に関し、当該機種の端末装置が表示可能なＷｅｂページの条件を示す条件データを記憶する条件データ記憶ステップと、
前記サーバ装置が、一の端末装置から、一のＷｅｂページを識別するＷｅｂページ識別データを受信するＷｅｂページ識別データ受信ステップと、
前記サーバ装置が、前記一の端末装置から、前記一の端末装置の機種を識別する機種識別データを受信する機種識別データ受信ステップと、
前記サーバ装置が、前記Ｗｅｂページ識別データ受信ステップにおいて受信した前記Ｗｅｂページ識別データにより識別されるＷｅｂページの表示を指示するＷｅｂページデータを変換前Ｗｅｂページデータとし、前記変換前Ｗｅｂページデータに含まれる画像識別データのうちの１以上の画像識別データの各々に関し、当該画像識別データにより識別される画像データを変換前画像データとする場合、前記変換前画像データを所定のアルゴリズムに従い変換することで、前記変換前画像データのデータ量よりも小さいデータ量の画像データである変換後画像データを生成する第１の画像データ変換ステップと、
前記サーバ装置が、前記変換前Ｗｅｂページデータに含まれる前記変換前画像データを識別する画像識別データを、前記変換後画像データを識別する画像識別データであって、前記変換前画像データを識別する画像識別データと前記変換前画像データから前記変換後画像データへの変換に用いられたアルゴリズムを特定するパラメータとを含む画像識別データに変更することにより、前記機種識別データ受信ステップにおいて受信した前記機種識別データにより識別される機種に関し前記条件データ記憶ステップにおいて記憶されている前記条件データにより示される条件を満たすＷｅｂページの表示を指示する変換後Ｗｅｂページデータを生成するＷｅｂページデータ変換ステップと、
前記サーバ装置が、前記Ｗｅｂページデータ変換ステップにおいて生成した前記変換後Ｗｅｂページデータを、前記一の端末装置に送信するＷｅｂページデータ送信ステップと、
前記サーバ装置が、前記Ｗｅｂページデータ送信ステップにおける前記変換後Ｗｅｂページデータの送信に対する応答として前記一の端末装置から送信されてくる一の画像を識別する画像識別データを受信する画像識別データ受信ステップと、
前記サーバ装置が、前記画像識別データ受信ステップにおいて受信した前記画像識別データが画像識別データとパラメータとを含む場合、当該画像識別データにより識別される画像データを当該パラメータにより特定されるアルゴリズムに従い変換することで前記変換後画像データを生成する第２の画像データ変換ステップと、
前記サーバ装置が、前記画像識別データ受信ステップにおいて受信した画像識別データにより識別される画像を示す画像データを前記一の端末装置に送信する画像データ送信ステップと
を備える方法。
【請求項２】
前記サーバ装置は２以上の独立した通信装置の集まりである通信装置群であり、
前記サーバ装置は、前記Ｗｅｂページデータ送信ステップと、前記画像データ送信ステップとを、前記通信装置群に含まれる互いに異なる通信装置により実行する
請求項２に記載の方法。
【請求項３】
一のＷｅｂページデータに関し、当該一のＷｅｂページデータのデータ量と当該一のＷｅｂページデータに含まれる１以上の画像識別データの各々により各々識別される１以上の画像データのデータ量との合計を総データ量とするとき、
前記条件データ記憶ステップにおいて前記サーバ装置が記憶する前記条件データは、対応する機種の端末装置が表示可能なＷｅｂページの表示を指示するＷｅｂページデータの総データ量の上限を示し、
前記サーバ装置は、前記Ｗｅｂページデータ変換ステップにおいて、前記変換前Ｗｅｂページデータに含まれる１以上の画像識別データのうちＷｅｂページの先頭側に表示される画像を指示する画像識別データよりもＷｅｂページの末尾側に表示される画像を指示する画像識別データを優先的に選択し、当該選択した画像識別データを前記第１の画像データ変換ステップにおいて生成される前記変換後画像データを識別する画像識別データに変更することによって、総データ量が前記機種識別データ受信ステップにおいて受信した前記機種識別データにより識別される機種に関し前記条件データ記憶ステップにおいて記憶した前記条件データにより示される総データ量の上限以下となる前記変換後Ｗｅｂページデータを生成する
請求項１または２に記載の方法。
【請求項４】
前記条件データ記憶ステップにおいて前記サーバ装置が記憶する前記条件データは、対応する機種の端末装置が表示可能な画像の表示サイズの上限を示し、
前記サーバ装置は、前記Ｗｅｂページ識別データ受信ステップにおいて受信した前記Ｗｅｂページ識別データにより識別されるＷｅｂページの表示を指示するＷｅｂページデータに含まれる１以上の画像識別データの各々により各々識別される１以上の画像データのうち、前記機種識別データ受信ステップにおいて受信した前記機種識別データにより識別される機種に関し前記条件データ記憶ステップにおいて記憶されている前記条件データにより示される表示サイズの上限を超える表示サイズの画像を示す画像データの各々に関し、前記第１の画像データ変換ステップにおいて当該上限以下の表示サイズの画像を示す前記変換後画像データを生成する
請求項１乃至３のいずれかに記載の方法。
【請求項５】
前記Ｗｅｂページデータ記憶ステップにおいて前記サーバ装置が記憶する前記Ｗｅｂページデータは所定の文法を有する記述言語により記述されたテキストデータであり、
前記条件データ記憶ステップにおいて前記サーバ装置が記憶する前記条件データは、対応する機種の端末装置が解釈可能な記述言語を示し、
前記サーバ装置が、複数の記述言語の間の変換規則を示す変換規則データを記憶する変換規則データ記憶ステップを備え、
前記サーバ装置は、前記Ｗｅｂページデータ変換ステップにおいて、前記変換規則データ記憶ステップにおいて記憶した前記変換規則データにより示される変換規則に従い前記変換前Ｗｅｂページデータを変換することにより、前記機種識別データ受信ステップにおいて受信した前記機種識別データにより識別される機種に関し前記条件データ記憶ステップにおいて記憶されている前記条件データにより示される記述言語で記述された前記変換後Ｗｅｂページデータを生成する
請求項１乃至４のいずれかに記載の方法。
【請求項６】
他の通信装置から送信されてくるデータを受信する受信手段と、データを記憶する記憶手段と、演算処理を行う演算手段と、データを他の通信装置に送信する送信手段とを備え、
前記記憶手段は、１以上のＷｅｂページの各々に関し、当該Ｗｅｂページの表示を指示するデータであるＷｅｂページデータであって、当該Ｗｅｂページに含まれる画像を示す画像データを各々識別する１以上の画像識別データを含むＷｅｂページデータを記憶し、
前記記憶手段は、前記Ｗｅｂページデータ記憶ステップにおいて記憶されるＷｅｂページデータに含まれる画像識別データにより識別される画像データを記憶し、
前記記憶手段は、１以上の端末装置の機種の各々に関し、当該機種の端末装置が表示可能なＷｅｂページの条件を示す条件データを記憶し、
前記受信手段は、一の端末装置から、一のＷｅｂページを識別するＷｅｂページ識別データを受信し、
前記受信手段は、前記一の端末装置から、前記一の端末装置の機種を識別する機種識別データを受信し、
前記演算手段は、前記受信手段により受信された前記Ｗｅｂページ識別データにより識別されるＷｅｂページの表示を指示するＷｅｂページデータを変換前Ｗｅｂページデータとし、前記変換前Ｗｅｂページデータに含まれる画像識別データのうちの１以上の画像識別データの各々に関し、当該画像識別データにより識別される画像データを変換前画像データとする場合、前記変換前画像データを所定のアルゴリズムに従い変換することで、前記変換前画像データのデータ量よりも小さいデータ量の画像データである変換後画像データを生成し、
前記演算手段は、前記変換前Ｗｅｂページデータに含まれる前記変換前画像データを識別する画像識別データを、前記変換後画像データを識別する画像識別データであって、前記変換前画像データを識別する画像識別データと前記変換前画像データから前記変換後画像データへの変換に用いられたアルゴリズムを特定するパラメータとを含む画像識別データに変更することにより、前記受信手段により受信された前記機種識別データにより識別される機種に関し前記記憶手段により記憶されている前記条件データにより示される条件を満たすＷｅｂページの表示を指示する変換後Ｗｅｂページデータを生成し、
前記送信手段は、前記演算手段により生成された前記変換後Ｗｅｂページデータを、前記一の端末装置に送信し、
前記受信手段は、前記送信手段による前記変換後Ｗｅｂページデータの送信に対する応答として前記一の端末装置から送信されてくる一の画像を識別する画像識別データを受信し、
前記演算手段は、前記受信手段により受信された前記画像識別データが画像識別データとパラメータとを含む場合、当該画像識別データにより識別される画像データを当該パラメータにより特定されるアルゴリズムに従い変換することで前記変換後画像データを生成し、
前記送信手段は、前記受信手段により受信された画像識別データにより識別される画像を示す画像データを前記一の端末装置に送信する
サーバ装置。
【請求項７】
２以上の独立した通信装置の集まりである通信装置群により構成され、
前記変換後Ｗｅｂページデータを前記一の端末装置に送信する前記送信手段と、前記画像データを前記一の端末装置に送信する前記送信手段とが前記通信装置群に含まれる互いに異なる通信装置に配置されている
請求項６に記載のサーバ装置。
【請求項８】
一のＷｅｂページデータに関し、当該一のＷｅｂページデータのデータ量と当該一のＷｅｂページデータに含まれる１以上の画像識別データの各々により各々識別される１以上の画像データのデータ量との合計を総データ量とするとき、
前記記憶手段により記憶される前記条件データは、対応する機種の端末装置が表示可能なＷｅｂページの表示を指示するＷｅｂページデータの総データ量の上限を示し、
前記演算手段は、前記変換前Ｗｅｂページデータに含まれる１以上の画像識別データのうちＷｅｂページの先頭側に表示される画像を指示する画像識別データよりもＷｅｂページの末尾側に表示される画像を指示する画像識別データを優先的に選択し、当該選択した画像識別データを、前記変換後画像データを識別する画像識別データに変更することによって、総データ量が前記受信手段により受信された前記機種識別データにより識別される機種に関し前記記憶手段により記憶されている前記条件データにより示される総データ量の上限以下となる前記変換後Ｗｅｂページデータを生成する
請求項６または７に記載のサーバ装置。
【請求項９】
前記記憶手段により記憶される前記条件データは、対応する機種の端末装置が表示可能な画像の表示サイズの上限を示し、
前記演算手段は、前記受信手段により受信された前記Ｗｅｂページ識別データにより識別されるＷｅｂページの表示を指示するＷｅｂページデータに含まれる１以上の画像識別データの各々により各々識別される１以上の画像データのうち、前記受信手段により受信された前記機種識別データにより識別される機種に関し前記記憶手段により記憶されている前記条件データにより示される表示サイズの上限を超える表示サイズの画像を示す画像データの各々に関し、当該上限以下の表示サイズの画像を示す前記変換後画像データを生成する
請求項６乃至８のいずれかに記載のサーバ装置。
【請求項１０】
前記記憶手段により記憶される前記Ｗｅｂページデータは所定の文法を有する記述言語により記述されたテキストデータであり、
前記記憶手段により記憶される前記条件データは、対応する機種の端末装置が解釈可能な記述言語を示し、
前記記憶手段は、複数の記述言語の間の変換規則を示す変換規則データを記憶し、
前記演算手段は、前記記憶手段により記憶される前記変換規則データにより示される変換規則に従い前記変換前Ｗｅｂページデータを変換することにより、前記受信手段により受信された前記機種識別データにより識別される機種に関し前記記憶手段により記憶されている前記条件データにより示される記述言語で記述された前記変換後Ｗｅｂページデータを生成する
請求項６乃至９のいずれかに記載のサーバ装置。
【請求項１１】
他の通信装置との間でデータ通信を行う通信手段を備えるコンピュータを
請求項６乃至１０のいずれかに記載のサーバ装置が備える前記記憶手段、前記受信手段、前記演算手段、前記送信手段として機能させるプログラム。
【手続補正２】
【補正対象書類名】明細書
【補正対象項目名】００２５
【補正方法】変更
【補正の内容】
【００２５】
上記課題を解決するために、本発明は、
サーバ装置が、１以上のＷｅｂページの各々に関し、当該Ｗｅｂページの表示を指示するデータであるＷｅｂページデータであって、当該Ｗｅｂページに含まれる画像を示す画像データを各々識別する１以上の画像識別データを含むＷｅｂページデータを記憶するＷｅｂページデータ記憶ステップと、
前記サーバ装置が、前記Ｗｅｂページデータ記憶ステップにおいて記憶されるＷｅｂページデータに含まれる画像識別データにより識別される画像データを記憶する画像データ記憶ステップと、
前記サーバ装置が、１以上の端末装置の機種の各々に関し、当該機種の端末装置が表示可能なＷｅｂページの条件を示す条件データを記憶する条件データ記憶ステップと、
前記サーバ装置が、一の端末装置から、一のＷｅｂページを識別するＷｅｂページ識別データを受信するＷｅｂページ識別データ受信ステップと、
前記サーバ装置が、前記一の端末装置から、前記一の端末装置の機種を識別する機種識別データを受信する機種識別データ受信ステップと、
前記サーバ装置が、前記Ｗｅｂページ識別データ受信ステップにおいて受信した前記Ｗｅｂページ識別データにより識別されるＷｅｂページの表示を指示するＷｅｂページデータを変換前Ｗｅｂページデータとし、前記変換前Ｗｅｂページデータに含まれる画像識別データのうちの１以上の画像識別データの各々に関し、当該画像識別データにより識別される画像データを変換前画像データとする場合、前記変換前画像データを所定のアルゴリズムに従い変換することで、前記変換前画像データのデータ量よりも小さいデータ量の画像データである変換後画像データを生成する第１の画像データ変換ステップと、
前記サーバ装置が、前記変換前Ｗｅｂページデータに含まれる前記変換前画像データを識別する画像識別データを、前記変換後画像データを識別する画像識別データであって、前記変換前画像データを識別する画像識別データと前記変換前画像データから前記変換後画像データへの変換に用いられたアルゴリズムを特定するパラメータとを含む画像識別データに変更することにより、前記機種識別データ受信ステップにおいて受信した前記機種識別データにより識別される機種に関し前記条件データ記憶ステップにおいて記憶されている前記条件データにより示される条件を満たすＷｅｂページの表示を指示する変換後Ｗｅｂページデータを生成するＷｅｂページデータ変換ステップと、
前記サーバ装置が、前記Ｗｅｂページデータ変換ステップにおいて生成した前記変換後Ｗｅｂページデータを、前記一の端末装置に送信するＷｅｂページデータ送信ステップと、
前記サーバ装置が、前記Ｗｅｂページデータ送信ステップにおける前記変換後Ｗｅｂページデータの送信に対する応答として前記一の端末装置から送信されてくる一の画像を識別する画像識別データを受信する画像識別データ受信ステップと、
前記サーバ装置が、前記画像識別データ受信ステップにおいて受信した前記画像識別データが画像識別データとパラメータとを含む場合、当該画像識別データにより識別される画像データを当該パラメータにより特定されるアルゴリズムに従い変換することで前記変換後画像データを生成する第２の画像データ変換ステップと、
前記サーバ装置が、前記画像識別データ受信ステップにおいて受信した画像識別データにより識別される画像を示す画像データを前記一の端末装置に送信する画像データ送信ステップと
方法を提供する。（第１の実施態様）
【手続補正３】
【補正対象書類名】明細書
【補正対象項目名】００２６
【補正方法】変更
【補正の内容】
【００２６】
上記の第１の実施態様にかかる方法において、
前記サーバ装置は２以上の独立した通信装置の集まりである通信装置群であり、
前記サーバ装置は、前記Ｗｅｂページデータ送信ステップと、前記画像データ送信ステップとを、前記通信装置群に含まれる互いに異なる通信装置により実行する
構成が採用されてもよい。（第２の実施態様）
【手続補正４】
【補正対象書類名】明細書
【補正対象項目名】００２７
【補正方法】変更
【補正の内容】
【００２７】
上記の第１または第２の実施態様にかかる方法において、
一のＷｅｂページデータに関し、当該一のＷｅｂページデータのデータ量と当該一のＷｅｂページデータに含まれる１以上の画像識別データの各々により各々識別される１以上の画像データのデータ量との合計を総データ量とするとき、
前記条件データ記憶ステップにおいて前記サーバ装置が記憶する前記条件データは、対応する機種の端末装置が表示可能なＷｅｂページの表示を指示するＷｅｂページデータの総データ量の上限を示し、
前記サーバ装置は、前記Ｗｅｂページデータ変換ステップにおいて、前記変換前Ｗｅｂページデータに含まれる１以上の画像識別データのうちＷｅｂページの先頭側に表示される画像を指示する画像識別データよりもＷｅｂページの末尾側に表示される画像を指示する画像識別データを優先的に選択し、当該選択した画像識別データを前記第１の画像データ変換ステップにおいて生成される前記変換後画像データを識別する画像識別データに変更することによって、総データ量が前記機種識別データ受信ステップにおいて受信した前記機種識別データにより識別される機種に関し前記条件データ記憶ステップにおいて記憶した前記条件データにより示される総データ量の上限以下となる前記変換後Ｗｅｂページデータを生成する
構成が採用されてもよい。（第３の実施態様）
【手続補正５】
【補正対象書類名】明細書
【補正対象項目名】００２８
【補正方法】変更
【補正の内容】
【００２８】
上記の第１乃至第３のいずれかの実施態様にかかる方法において、
前記条件データ記憶ステップにおいて前記サーバ装置が記憶する前記条件データは、対応する機種の端末装置が表示可能な画像の表示サイズの上限を示し、
前記サーバ装置は、前記Ｗｅｂページ識別データ受信ステップにおいて受信した前記Ｗｅｂページ識別データにより識別されるＷｅｂページの表示を指示するＷｅｂページデータに含まれる１以上の画像識別データの各々により各々識別される１以上の画像データのうち、前記機種識別データ受信ステップにおいて受信した前記機種識別データにより識別される機種に関し前記条件データ記憶ステップにおいて記憶されている前記条件データにより示される表示サイズの上限を超える表示サイズの画像を示す画像データの各々に関し、前記第１の画像データ変換ステップにおいて当該上限以下の表示サイズの画像を示す前記変換後画像データを生成する
構成が採用されてもよい。（第４の実施態様）
【手続補正６】
【補正対象書類名】明細書
【補正対象項目名】００２９
【補正方法】変更
【補正の内容】
【００２９】
上記の第１乃至第４のいずれかの実施態様にかかる方法において、
前記Ｗｅｂページデータ記憶ステップにおいて前記サーバ装置が記憶する前記Ｗｅｂページデータは所定の文法を有する記述言語により記述されたテキストデータであり、
前記条件データ記憶ステップにおいて前記サーバ装置が記憶する前記条件データは、対応する機種の端末装置が解釈可能な記述言語を示し、
前記サーバ装置が、複数の記述言語の間の変換規則を示す変換規則データを記憶する変換規則データ記憶ステップを備え、
前記サーバ装置は、前記Ｗｅｂページデータ変換ステップにおいて、前記変換規則データ記憶ステップにおいて記憶した前記変換規則データにより示される変換規則に従い前記変換前Ｗｅｂページデータを変換することにより、前記機種識別データ受信ステップにおいて受信した前記機種識別データにより識別される機種に関し前記条件データ記憶ステップにおいて記憶されている前記条件データにより示される記述言語で記述された前記変換後Ｗｅｂページデータを生成する
構成が採用されてもよい。（第５の実施態様）
【手続補正７】
【補正対象書類名】明細書
【補正対象項目名】００３０
【補正方法】変更
【補正の内容】
【００３０】
また、本発明は、
他の通信装置から送信されてくるデータを受信する受信手段と、データを記憶する記憶手段と、演算処理を行う演算手段と、データを他の通信装置に送信する送信手段とを備え、
前記記憶手段は、１以上のＷｅｂページの各々に関し、当該Ｗｅｂページの表示を指示するデータであるＷｅｂページデータであって、当該Ｗｅｂページに含まれる画像を示す画像データを各々識別する１以上の画像識別データを含むＷｅｂページデータを記憶し、
前記記憶手段は、前記Ｗｅｂページデータ記憶ステップにおいて記憶されるＷｅｂページデータに含まれる画像識別データにより識別される画像データを記憶し、
前記記憶手段は、１以上の端末装置の機種の各々に関し、当該機種の端末装置が表示可能なＷｅｂページの条件を示す条件データを記憶し、
前記受信手段は、一の端末装置から、一のＷｅｂページを識別するＷｅｂページ識別データを受信し、
前記受信手段は、前記一の端末装置から、前記一の端末装置の機種を識別する機種識別データを受信し、
前記演算手段は、前記受信手段により受信された前記Ｗｅｂページ識別データにより識別されるＷｅｂページの表示を指示するＷｅｂページデータを変換前Ｗｅｂページデータとし、前記変換前Ｗｅｂページデータに含まれる画像識別データのうちの１以上の画像識別データの各々に関し、当該画像識別データにより識別される画像データを変換前画像データとする場合、前記変換前画像データを所定のアルゴリズムに従い変換することで、前記変換前画像データのデータ量よりも小さいデータ量の画像データである変換後画像データを生成し、
前記演算手段は、前記変換前Ｗｅｂページデータに含まれる前記変換前画像データを識別する画像識別データを、前記変換後画像データを識別する画像識別データであって、前記変換前画像データを識別する画像識別データと前記変換前画像データから前記変換後画像データへの変換に用いられたアルゴリズムを特定するパラメータとを含む画像識別データに変更することにより、前記受信手段により受信された前記機種識別データにより識別される機種に関し前記記憶手段により記憶されている前記条件データにより示される条件を満たすＷｅｂページの表示を指示する変換後Ｗｅｂページデータを生成し、
前記送信手段は、前記演算手段により生成された前記変換後Ｗｅｂページデータを、前記一の端末装置に送信し、
前記受信手段は、前記送信手段による前記変換後Ｗｅｂページデータの送信に対する応答として前記一の端末装置から送信されてくる一の画像を識別する画像識別データを受信し、
前記演算手段は、前記受信手段により受信された前記画像識別データが画像識別データとパラメータとを含む場合、当該画像識別データにより識別される画像データを当該パラメータにより特定されるアルゴリズムに従い変換することで前記変換後画像データを生成し、
前記送信手段は、前記受信手段により受信された画像識別データにより識別される画像を示す画像データを前記一の端末装置に送信する
サーバ装置を提供する（第６の実施態様）
【手続補正８】
【補正対象書類名】明細書
【補正対象項目名】００３１
【補正方法】変更
【補正の内容】
【００３１】
上記の第６の実施態様にかかるサーバ装置において、
２以上の独立した通信装置の集まりである通信装置群により構成され、
前記変換後Ｗｅｂページデータを前記一の端末装置に送信する前記送信手段と、前記画像データを前記一の端末装置に送信する前記送信手段とが前記通信装置群に含まれる互いに異なる通信装置に配置されている
構成が採用されてもよい。（第７の実施態様）
【手続補正９】
【補正対象書類名】明細書
【補正対象項目名】００３２
【補正方法】変更
【補正の内容】
【００３２】
上記の第６または第７の実施態様にかかるサーバ装置において、
一のＷｅｂページデータに関し、当該一のＷｅｂページデータのデータ量と当該一のＷｅｂページデータに含まれる１以上の画像識別データの各々により各々識別される１以上の画像データのデータ量との合計を総データ量とするとき、
前記記憶手段により記憶される前記条件データは、対応する機種の端末装置が表示可能なＷｅｂページの表示を指示するＷｅｂページデータの総データ量の上限を示し、
前記演算手段は、前記変換前Ｗｅｂページデータに含まれる１以上の画像識別データのうちＷｅｂページの先頭側に表示される画像を指示する画像識別データよりもＷｅｂページの末尾側に表示される画像を指示する画像識別データを優先的に選択し、当該選択した画像識別データを、前記変換後画像データを識別する画像識別データに変更することによって、総データ量が前記受信手段により受信された前記機種識別データにより識別される機種に関し前記記憶手段により記憶されている前記条件データにより示される総データ量の上限以下となる前記変換後Ｗｅｂページデータを生成する
構成が採用されてもよい。（第８の実施態様）
【手続補正１０】
【補正対象書類名】明細書
【補正対象項目名】００３３
【補正方法】変更
【補正の内容】
【００３３】
上記の第６乃至第８のいずれかの実施態様にかかるサーバ装置において、
前記記憶手段により記憶される前記条件データは、対応する機種の端末装置が表示可能な画像の表示サイズの上限を示し、
前記演算手段は、前記受信手段により受信された前記Ｗｅｂページ識別データにより識別されるＷｅｂページの表示を指示するＷｅｂページデータに含まれる１以上の画像識別データの各々により各々識別される１以上の画像データのうち、前記受信手段により受信された前記機種識別データにより識別される機種に関し前記記憶手段により記憶されている前記条件データにより示される表示サイズの上限を超える表示サイズの画像を示す画像データの各々に関し、当該上限以下の表示サイズの画像を示す前記変換後画像データを生成する
構成が採用されてもよい。（第９の実施態様）
【手続補正１１】
【補正対象書類名】明細書
【補正対象項目名】００３４
【補正方法】変更
【補正の内容】
【００３４】
上記の第６乃至第９のいずれかの実施態様にかかるサーバ装置において、
前記記憶手段により記憶される前記Ｗｅｂページデータは所定の文法を有する記述言語により記述されたテキストデータであり、
前記記憶手段により記憶される前記条件データは、対応する機種の端末装置が解釈可能な記述言語を示し、
前記記憶手段は、複数の記述言語の間の変換規則を示す変換規則データを記憶し、
前記演算手段は、前記記憶手段により記憶される前記変換規則データにより示される変換規則に従い前記変換前Ｗｅｂページデータを変換することにより、前記受信手段により受信された前記機種識別データにより識別される機種に関し前記記憶手段により記憶されている前記条件データにより示される記述言語で記述された前記変換後Ｗｅｂページデータを生成する
構成が採用されてもよい。（第１０の実施態様）
【手続補正１２】
【補正対象書類名】明細書
【補正対象項目名】００３５
【補正方法】変更
【補正の内容】
【００３５】
また、本発明は、
他の通信装置との間でデータ通信を行う通信手段を備えるコンピュータを
上記の第６乃至第１０のいずれかに記載のサーバ装置が備える前記記憶手段、前記受信手段、前記演算手段、前記送信手段として機能させるプログラム
を提供する。（第１１の実施態様）
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】